(57)【特許請求の範囲】
【請求項１】
ＴＯＣ情報の全部又は一部が書きこまれていない光ディスクの再生前に前記光ディスクのプログラム領域に記録されているＱコード情報に基づいてＴＯＣ情報を作成し、ＴＯＣ情報を作成する間、表示装置にＴＯＣ情報作成中である旨を表示することを特徴とする光ディスク再生方法。
【請求項２】
光ディスクから記録信号を読み取るピックアップと、前記ピックアップが読み取った記録信号を増幅する増幅器と、前記増幅器からの信号を処理加工するデジタル信号処理回路と、前記デジタル信号処理回路を制御するシステムコントローラーとから構成され、ＴＯＣ情報の一部又は全部が記録されていない光ディスクの再生前に、前記システムコントローラーがプログラム領域に記録されているＱコード情報に基づいてＴＯＣ情報を作成し、再生前に光ディスクのＴＯＣ領域をアクセスすることで前記システムコントローラーがＴＯＣ情報の一部又は全部が記録されていない光ディスクかＴＯＣ情報が完全に記録されている光ディスクかを判定し、判定結果を出力することを特徴とする光ディスク再生装置。
【請求項３】
光ディスクから記録信号を読み取るピックアップと、前記ピックアップが読み取った記録信号を増幅する増幅器と、前記増幅器からの信号を処理加工するデジタル信号処理回路と、前記デジタル信号処理回路を制御するシステムコントローラーとから構成され、ＴＯＣ情報の一部又は全部が記録されていない光ディスクの再生前に、前記システムコントローラーがプログラム領域に記録されているＱコード情報に基づいてＴＯＣ情報を作成し、前記システムコントローラーが再生前にＴＯＣ領域をアクセスすることで、ＴＯＣ情報の一部又は全部が記録されていない光ディスクかＴＯＣ情報が完全に記録されている光ディスクかを検出し、ＴＯＣ情報の一部又は全部が記録されていない光ディスクであった場合、ＴＯＣ情報を作成する間、表示装置にＴＯＣ情報作成中である旨を表示することを特徴とする光ディスク再生装置。
【発明の詳細な説明】
【０００１】
【発明の属する技術分野】
本発明は、光ディスクの再生方法についての発明である。
【０００２】
【従来の技術】
一般に光ディスクは、ＴＯＣ情報（Ｔａｂｌｅ  Ｏｆ  Ｃｏｎｔｅｎｔｓの略。プログラム領域の先頭位置から各曲の先頭位置までの再生時間であり、各曲番号と結び付けられた情報。）の一部又は全部が記録されていないアンファイナライズドディスクと、ＴＯＣ情報が完全に記録されているファイナライズドディスクとに分けられる。
【０００３】
従来、アンファイナライズドディスクの再生ではＴＯＣ情報の一部または全部が無いため、ＴＯＣ情報の一部を取得しもしくはＴＯＣ情報を取得せず、再生に移行していた。
【０００４】
ＴＯＣ情報を取得せずに再生する方法では、各曲先頭位置を目標にトラックジャンプすることが出来ない。従って、曲頭位置情報が必要なＳＫＩＰ  ＵＰ（再生位置を現在再生曲の次曲以降の曲の先頭位置に設定する再生方法。）及びＳＫＩＰ  ＤＯＷＮ（再生位置を現在再生曲以前の曲の先頭位置に設定する再生方法。）が不可能である。
【０００５】
また、ＴＯＣ情報の一部を取得した後に再生する方法では、ＴＯＣ情報を取得した曲に対しては曲頭アクセスが可能であるが、ＴＯＣ情報を取得していない曲に対しては曲頭アクセスできない。
【０００６】
以下、従来の光ディスク再生方法について図１を用いて説明する。
【０００７】
先ず、図１の下段（１）に示す様にピックアップをＴＯＣ領域（ＴＯＣ領域とは、プログラム領域の内側の領域をいう。プレス生成されたディスクやファイナライズドディスクでは、この領域にＴＯＣ情報が記録されている。）に移動させる。ピックアップの移動はトラバースモーターを駆動し、ドライブシャフトを回転させることで行う。次に図１の下段（２）の様に内周スイッチ（ピックアップが前記ＴＯＣ領域に来た時に、ピックアップが物理的に押すスイッチのこと。図示せず。）を検出することにより、ピックアップがＴＯＣ領域に到達したことを検出しピックアップの移動を停止する。ピックアップがＴＯＣ領域に移動したら、図１の下段（３）の様に先ず自動調整処理として、フォーカス、トラバース、トラッキング、スピンドルのサーボの調整を行う。サーボ調整後は、ピックアップはレーザー光線を光ディスクに照射して、反射光を検出することで光ディスクに書き込まれた情報を読み出すことができるので、図１の下段（４）の様にＴＯＣ領域にアクセスして記録された情報を読み出す。アンファイナライズドディスクの場合、ＴＯＣ領域にはＴＯＣ情報の全部又は一部が無いため、全ＴＯＣ情報を取得することは出来ない。全ＴＯＣ情報を取得できないまま、ＴＯＣ領域を内周から外周へとアクセスを継続していく。
【０００８】
ＴＯＣ領域の外周側の領域はプログラム領域であり、１曲目の曲が記録されているため、ＴＯＣ領域から継続してアクセスを続けていけば再生可能である。１曲目に到達したことの判断は、次の様に行う。すなわち、１曲目にアクセスするとアクセスした位置のＱコード情報を取得できる。Ｑコード情報には、アクセスした位置の曲番号と、アクセスした位置のＩＮＤＥＸ番号と、プログラム領域の先頭からアクセス位置までの再生時間を表す絶対時間と、アクセスした位置が含まれる曲の先頭からアクセスした位置までの再生時間を表す曲内時間の４つの情報がある。従って、Ｑコード情報を取得しＱコード情報の中の曲番号を読み出すことで１曲目に入ったことを認識できる。１曲目に入ったら音声ミュートを解除すれば音声出力可能である。
【０００９】
２曲目以降も同様に継続してアクセスするのみである。
【００１０】
次に停止の方法としては、再生中に従来からと同様にディスクの回転停止と音声ミュート処理を行うのみである。現在再生位置で停止し、次の再生開始では同じ位置から再生開始するのみである。
【００１１】
【発明が解決しようとする課題】
アンファイナライズドディスクが生成されるのは、次の理由による。すなわち、（１）光ディスクにデータ書き込みする際にＴＯＣ情報書き込みの設定がされていたにもかかわらず、書き込み中にディスクイジェクト操作等により書き込み処理が中断された場合と、（２）ユーザーが書き込み時間短縮を意図してＴＯＣ情報書き込み処理の設定を行わずに書き込み処理を行った場合である。
【００１２】
従来技術においては、アンファイナライズドディスクを再生する場合にはＴＯＣ情報を取得することが出来ず、ＳＫＩＰ  ＵＰやＳＫＩＰ  ＤＯＷＮ等の曲頭アクセス処理が実施不可能であるという問題点があった。
【００１３】
また、書き換え可能な光ディスクでは、再度フォーマットしてファイナライズ処理を行い、ＴＯＣ情報を書き込んだ光ディスクを作成することが可能であるが、フォーマット処理等に時間がかかるという問題点があった。
【００１４】
本発明は、上記問題点を解決するもので、アンファイナライズドディスクを再生する時にＳＫＩＰ  ＵＰやＳＫＩＰ  ＤＯＷＮ等の曲頭アクセス処理を可能にする再生方法を提供することを目的とする。
【００１５】
【課題を解決するための手段】
本発明の請求項１記載の光ディスク再生方法は、アンファイナライズドディスクの再生前に前記アンファイナライズドディスクのプログラム領域に記録されているＱコード情報に基づいてＴＯＣ情報を作成し、ＴＯＣ情報を作成する間、表示装置にＴＯＣ情報作成中である旨を表示することを特徴とする。
【００１６】
この構成によれば、アンファイナライズドディスクの再生前にＴＯＣ情報作成時に時間がかかったとしてもユーザーはＴＯＣ作成中である旨の表示を参照することで、光ディスク再生装置が故障である等と誤認識することがなく、操作性が向上する。
【００１７】
請求項２記載の光ディスク再生装置は、光ディスクから記録信号を読み取るピックアップと、前記ピックアップが読み取った記録信号を増幅する増幅器と、前記増幅器からの信号を処理加工するデジタル信号処理回路と、前記デジタル信号処理回路を制御するシステムコントローラーとから構成され、アンファイナライズドディスクの再生前に、前記システムコントローラーがプログラム領域に記録されているＱコード情報に基づいてＴＯＣ情報を作成し、再生前に光ディスクのＴＯＣ領域をアクセスすることで前記システムコントローラーがアンファイナライズドディスクかファイナライズドディスクかを判定し、判定結果を出力することを特徴とする。
【００１８】
この構成によれば、再生開始前にアンファイナライズドディスクかファイナライズドディスクであるかをユーザーは認識することができる。従って、ユーザーは再生前に次の選択を行うことが可能である。すなわち、アンファイナライズドディスクをそのまま再生するか、もしくは書き換え可能ディスクの場合は再生を終了してフォーマットした後にファイナライズドディスクとして書き込み直しを行うことが可能となり、操作性が向上する。
【００１９】
請求項３記載の光ディスク再生装置は、光ディスクから記録信号を読み取るピックアップと、前記ピックアップが読み取った記録信号を増幅する増幅器と、前記増幅器からの信号を処理加工するデジタル信号処理回路と、前記デジタル信号処理回路を制御するシステムコントローラーとから構成され、アンファイナライズドディスクの再生前に、前記システムコントローラーがプログラム領域に記録されているＱコード情報に基づいてＴＯＣ情報を作成し、前記システムコントローラーが再生前にＴＯＣ領域をアクセスすることで、アンファイナライズドディスクかファイナライズドディスクかを検出し、アンファイナライズドディスクであった場合、ＴＯＣ情報を作成する間、表示装置にＴＯＣ情報作成中である旨を表示することを特徴とする。
【００２０】
この構成によれば、アンファイナライズドディスクの再生前にＴＯＣ情報作成時に時間がかかったとしてもユーザーはＴＯＣ作成中である旨の表示を参照することで、光ディスク再生装置が故障である等と誤認識することがなく、操作性が向上する。
【００２１】
【発明の実施の形態】
以下本発明の実施の形態について、図面を参照しながら説明する。
【００２２】
（実施の形態１）
本発明の第１の実施の形態における光ディスク再生装置について説明する。
【００２３】
図２は、本実施の形態の光ディスク再生装置の構成を示すブロック図である。図２において、１０１は光ディスクであり、１０２は光ディスク１０１の信号面にレーザー光線を照射し、その反射光を取り込むことで光ディスク１０１の記録信号を読み込むピックアップであり、１０３はピックアップ１０２によって取り込まれた記録信号を増幅する増幅器であり、１０４は光ディスク１０１を線速度一定で回転させるスピンドルモーター１１１と前記ピックアップ１０２を移動させるスレッドモーター１１２とピックアップ１０２のフォーカスとトラッキングを調整するサーボ制御回路であり、１０５は増幅器１０３で増幅された信号を処理加工するデジタル信号処理回路であり、１０６はデジタル信号処理回路１０５を制御するシステムコントローラであり、１０７はデジタル信号処理回路１０５で処理された音声信号をデジタル信号からアナログ信号に変換するＤ／Ａコンバータである。
【００２４】
以上のように構成された光ディスク再生装置において、その一動作例を以下に説明する。
【００２５】
光ディスク１０１の記録信号をピックアップ１０２が読み込み、読み込んだ信号を増幅器１０３が増幅する。増幅後の信号をデジタル信号処理回路１０５が音声出力に適した信号に加工する。デジタル信号処理回路１０５で加工された信号をデジタル信号からアナログ信号に変換して出力するのがＤ／Ａコンバータ１０７である。また、光ディスク１０１の記録信号を安定してピックアップ１０２が読み込める様に、デジタル信号処理回路１０５が処理した信号の一部をサーボ制御回路に帰還して、サーボ制御回路１０４はスピンドルモーター１１１とスレッドモーター１１２とフォーカスとトラッキングのアクチュエータの動作をサーボ制御している。
【００２６】
図３は、実施の形態１の再生方法におけるピックアップ１０２の動きを示す図である。
【００２７】
光ディスク１０１の再生では、先ずピックアップ１０２を光ディスク１０１の内周のＴＯＣ領域に移動させる。ＴＯＣ領域に到達したことを物理的な内周検出スイッチ（図示せず。）などで検出してシステムコントローラ１０６はピックアップ１０２の動作を停止させる。ピックアップ１０２がＴＯＣ領域に到達したら、サーボの自動調整を行い光ディスク１０１の記録信号を読み出し可能状態にする。読み出し可能状態になったら、ＴＯＣ領域に記録されているＴＯＣ情報４０３を読み出す。全ＴＯＣ情報４０３の取得の判定は次の様に行う。すなわち、ＴＯＣ領域に記録された先頭曲番号と最終曲番号を取得しその間の曲番号のすべてのＴＯＣ情報４０３が取得できれば、ファイナライズドディスクと判断する。もし、先頭曲番号から最終曲番号までの間の一部又は全部の曲番号のＴＯＣ情報４０３が取得できない場合やＴＯＣ領域の先頭曲番号や最終曲番号自体が取得できない場合はアンファイナライズドディスクであると判断する。
【００２８】
ファイナライズドディスクであると判断した場合は、従来からの再生方法で光ディスク１０１の再生を継続する。
【００２９】
アンファイナライズドディスクであると判断した場合は、次の様にしてリードアウト領域の先頭時間を取得する。すなわち、ＴＯＣ領域から外周方向に向かって特定トラック本数ジャンプを繰り返していく。リードアウト領域の外周はミラー面であり、ピックアップ１０２がミラー面に突入してしまうとＱコード情報を取得できないためピックアップ１０２が現在どの位置にあるかを判定することができない。したがって、ピックアップ１０２がミラー面に突入するのは避けるべきである。内周から外周方向へ特定トラック数ジャンプを繰り返し、なおかつリードアウト領域外周のミラー面に突入しないためには、リードアウト領域の幅に相当するトラック数をジャンプすればよい。リードアウト領域は例えば、ＣＤの場合再生時間が９０秒である。リードアウト領域が光ディスク１０１の最外周にあるときにトラック本数は最小になり、約２８０本である。したがって、図３の様にＴＯＣ領域から外周方向へ向かって特定本数ジャンプを繰り返していけば、リードアウト領域外周のミラー面に突入すること無くリードアウト領域に到達するはずである。リードアウト領域にピックアップ１０２が到達すれば、リードアウト領域のＱコード情報を取得できるため、Ｑコード情報の絶対時間と曲内時間の差を求めることでリードアウトエリアの先頭時間を取得することができる。
【００３０】
実施の形態１の様に特定本数のトラックジャンプを繰り返していった場合には、プログラム領域のアクセス位置のＱコード情報取得により、アクセスした位置の曲のＴＯＣ情報４０３をＱコード情報の絶対時間４０１と曲内時間４０２の差を求めることで取得できる。Ｑコード情報の絶対時間４０１と曲内時間４０２とＴＯＣ情報４０３との関係は、図５に示す通りである。図５からＱコード情報の絶対時間４０１と曲内時間４０２の差を求めればＴＯＣ情報４０３を取得することができる。しかし、特定本数ジャンプを繰り返すため、特定本数のトラック以下の再生時間の曲があった場合飛び越してしまいアクセスしない曲がある。図４の例では、１曲目と３曲目と７曲目は飛び越してしまうため、ＴＯＣ情報４０３を取得できない。逆に、特定本数ジャンプを繰り返している途中でアクセスした２，４，５，６曲目及びリードアウトエリアはＴＯＣ情報４０３を取得できる。
【００３１】
（実施の形態２）
本発明の第２の実施の形態における再生方法について説明する。
【００３２】
本実施の形態は、ＴＯＣ情報の先頭曲と最終曲の曲番号を取得する具体的な方法に関する。
【００３３】
図６は、本実施の形態の再生方法の構成を示す図である。
【００３４】
図６の例は、アンファイナライズドディスクの先頭曲と最終曲の曲番号を取得する具体的方法について説明する。アンファイナライズドディスクでは、ＴＯＣ領域に先頭曲と最終曲の曲番号が記録されていないため、ＴＯＣ領域から先頭曲と最終曲の曲番号を取得することは出来ない。以下、プログラム領域のＱコード情報より先頭曲と最終曲の曲番号の取得を行う方法を説明する。すなわち、特定本数でＴＯＣ領域から外周方向へジャンプを繰り返し、リードアウト領域に到達したらジャンプを停止する。リードアウト領域にアクセスできたら、リードアウト領域のＱコード情報に基づいてリードアウト領域の開始時間を取得できる。リードアウト領域の開始時間を取得できたら、リードアウト領域の開始時間で示される位置より２秒内周側にアクセスする。アクセスしたらＱコード情報の曲番号を参照する。この曲番号が最終曲の曲番号である。次に、プログラム領域の開始位置から２秒外周側へ進んだ位置へアクセスする。アクセスすることでＱコード情報の曲番号を参照する。この曲番号が先頭曲の曲番号である。以上により、先頭曲の曲番号と最終曲の極番号を取得できる。
【００３５】
（実施の形態３）
本発明の第３の実施の形態における再生方法について説明する。
【００３６】
本実施の形態は、前記実施の形態１で取得出来なかったＴＯＣ情報を取得する具体的方法に関する。
【００３７】
図７は、本実施の形態の再生方法の構成を示す図である。
【００３８】
図７の例では、ＴＯＣ領域から外周方向へ特定本数トラックジャンプを繰り返しリードアウト領域に到達する過程で１曲目と３曲目にはアクセスできているが、２曲目にアクセスできていないため、１曲目と３曲目のＴＯＣ情報４０３は取得できているが、２曲目のＴＯＣ情報４０３が取得できていない。ここで次の様にすれば、図７の場合のすべての曲のＴＯＣ情報を取得可能である。すなわち、ＴＯＣ情報４０３を取得できていない曲のＴＯＣ情報４０３を取得するには、その曲内にアクセスできればよい。図７の例では３曲目のＴＯＣ情報４０３は取得できているため、一般に１曲の長さが２秒以下の曲が無いという事実を利用して、図７下段の様に３曲目の先頭位置より２秒内周側をアクセスすることで、２曲目を飛び越すこと無くＴＯＣ情報４０３を取得できていない２曲目内にアクセス可能である。２曲目内にアクセスすることでＱコード情報を取得でき、Ｑコード情報の絶対時間と曲内時間の差を求めることで２曲目のＴＯＣ情報４０３を取得できる。以上により、図７の場合のすべての曲のＴＯＣ情報４０３を取得可能である。
【００３９】
（実施の形態４）
本発明の第４の実施の形態における再生方法について説明する。
【００４０】
本実施の形態も、実施の形態１で取得できなかったＴＯＣ情報４０３を取得する具体的方法に関するが、実施の形態３とは、ＴＯＣ情報４０３を取得できていない曲が連続している点で異なる。
【００４１】
図８は、本実施の形態の再生方法の構成を示す図である。
【００４２】
図８の例では、ＴＯＣ領域から外周方向へ特定本数トラックジャンプを繰り返しリードアウト領域に到達した後、３曲目と４曲目のＴＯＣ情報４０３が取得できず、１曲目、２曲目、５曲目、リードアウトのＴＯＣ情報４０３を取得できている。図８下段の図のように、５曲目のＴＯＣ情報４０３で指定される時間より２秒内周側の位置をアクセスすることで４曲目内にアクセスすることが可能である。４曲目内にアクセスすれば、Ｑコード情報取得により絶対時間４０１と曲内時間４０２の差を求めることで４曲目のＴＯＣ情報４０３を取得できる。４曲目のＴＯＣ情報４０３が取得できれば、４曲目のＴＯＣ情報４０３で指定される時間位置より２秒内周側の位置をアクセスすることで３曲目内にアクセスできる。３曲目内にアクセスできれば、Ｑコード情報を取得でき、絶対時間４０１と曲内時間４０２の差を求めることで３曲目のＴＯＣ情報４０３を取得できる。以上により、図８の場合のすべての曲のＴＯＣ情報４０３を取得可能である。
【００４３】
（実施の形態５）
本発明の第５の実施の形態における再生方法について説明する。
【００４４】
本実施の形態も、実施の形態１で取得できなかったＴＯＣ情報４０３を取得する具体的方法に関するが、実施の形態３及び実施の形態４とはＩＮＤＥＸ０領域が２秒以上ある場合である点で異なる。
【００４５】
図９は、本実施の形態の再生方法の構成を示す図である。
【００４６】
図９の例では、ＴＯＣ領域から外周方向へ特定本数トラックジャンプを繰り返しリードアウト領域に到達した時に、３曲目と４曲目のＴＯＣ情報４０３が取得できておらず、１曲目、２曲目、５曲目、６曲目、リードアウトのＴＯＣ情報４０３を取得できている。３曲目と４曲目のＴＯＣ情報４０３を取得するために、次の様にトラックジャンプを行い、３曲目と４曲目にアクセスする。先ず４曲目のＴＯＣ情報４０３を取得する。図９の上段で５曲目のＴＯＣ情報４０３を既に取得済みだからである。図９下段（１）では、５曲目のＴＯＣ情報４０３で指定される位置の２秒内周側をアクセスしている。しかし、一般にＴＯＣ情報４０３は各曲のＩＮＤＥＸ１領域の先頭位置を指し示す情報であるため、５曲目のＩＮＤＥＸ１の内周側である５曲目のＩＮＤＥＸ０が２秒以上の領域である場合は、図９下段の（１）のトラックジャンプでは４曲目内に到達することが出来ない。システムコントローラは、図９下段（１）のジャンプでアクセスした位置のＱコード情報の曲番号を取得することで、現在５曲目のＩＮＤＥＸ０の領域にピックアップ１０２があることを認識できる。目標位置の４曲目内に到達できていないことを認識したら、次に５曲目のＴＯＣ情報４０３で指定される位置から４秒内周側の位置を目標にトラックジャンプを実行する。図９下段（２）のジャンプ後に４曲目内にアクセスできるためＱコード情報を取得して、Ｑコード情報の絶対時間と曲内時間の差を求めることナ４曲目のＴＯＣ情報４０３を取得することが可能である。４曲目のＴＯＣ情報４０３を取得できたら、４曲目のＴＯＣ情報４０３で指定される位置の２秒内周側をアクセスすることで３曲目内にアクセス可能である（図９下段（３））。３曲目内にアクセスできれば、３曲目のＴＯＣ情報４０３を取得できる。以上により、図９の場合のすべての曲のＴＯＣ情報４０３を取得可能である。
【００４７】
（実施の形態６）
本発明の第６の実施の形態における再生方法について説明する。
【００４８】
図１０は、本実施の形態でシステムコントローラ１０６に接続されたＲＡＭ等のメモリ１１０に格納されるＴＯＣ情報４０３の概念図である。
【００４９】
光ディスク１０１のプログラム領域にアクセスすることで取得したＴＯＣ情報４０３は各曲番号と結びつけた情報としてシステムコントローラ１０６に格納する。格納済みのＴＯＣ情報４０３を参照することで、曲頭サーチが可能になる。プログラム領域をアクセスすることで作成したＴＯＣ情報４０３を格納する時に、図１０で示される様に、各曲番号と各曲のＴＯＣ情報４０３を結びつけたテーブル情報にしておけば、後で参照し易い。また、前記テーブル情報は、ＴＯＣがある光ディスク１０１のＴＯＣ領域をアクセスして取得したＴＯＣ情報４０３を格納するテーブル情報と共通化することで、プログラムの他処理は、ＴＯＣ領域から取得したＴＯＣ情報４０３か、プログラム領域をアクセスすることで取得したＴＯＣ情報４０３かを区別することなく、ＴＯＣ情報４０３を参照することが可能である。
【００５０】
（実施の形態７）
本発明の第７の実施の形態における再生方法について説明する。
【００５１】
図１１は、本実施の形態の曲頭サーチ方法の構成を示す図である。
【００５２】
図１１では３曲目を再生中にユーザーから２曲目の先頭位置を再生位置にする曲頭サーチが起動された場合を想定している。２曲目の曲頭へのサーチは現在位置のＱコード情報の内の絶対時間情報と２曲目のＴＯＣ情報４０３の差を求めることで、先ず時間差を求める。次に求めた時間差をトラック本数に換算する必要がある。この換算は、従来再生方法で使用していた換算テーブルを利用することで可能である。以上により、曲頭サーチが可能となる。
【００５３】
（実施の形態８）
本発明の第８の実施の形態における再生方法について説明する。
【００５４】
図１２は、本発明の処理順序を示すフロー図である。
【００５５】
先ず、光ディスク再生装置に光ディスク１０１を挿入する。挿入後、ピックアップ１０２を光ディスク１０１のＴＯＣ領域に移動させる。ピックアップ１０２がＴＯＣ領域に到達したら、ピックアップ１０２の移動を停止して、トラバースサーボ、スピンドルサーボ、フォーカスサーボ、トラッキングサーボの調整を行う。各サーボ調整が完了したら、ＴＯＣ領域にアクセスし、ＴＯＣ情報４０３の一部又は全部が取得できない場合はアンファイナライズドディスクと判定して、図２の表示装置１０８にアンファイナライズドディスクである旨の表示をする。例えば、図１３の符号１１０３の表示の様に、アンファイナライズドディスクであることを検出すると英字ＵＮＦＩＮＡＬＩＺＥＤが枠線で囲まれた表示となる。ユーザーはアンファイナライズドディスクである旨の表示を確認することで、そのまま再生を継続するか、再生を中断して光ディスク１０１の書き込みをやり直して、ファイナライズドディスクとして再生することも出来る。ファイナライズドディスクとアンファイナライズドディスクの判定はシステムコントローラ１０６が次の様にして判定する。すなわち、先ず先頭曲番号と最終曲番号を取得できるか否かを判定する。取得できなければ、アンファイナライズドディスクと判定する。もし先頭曲番号と最終曲番号を取得できれば、先頭曲番号と最終曲番号で指定される間の曲番号のすべての曲のＴＯＣ情報４０３が取得できるか否か判定する。取得できればファイナライズドディスクと判定し、取得できなければアンファイナライズドディスクと判定する。アンファイナライズドディスクの場合、ＴＯＣ領域から外周方向へ特定本数トラックジャンプを繰り返す。トラックジャンプを繰り返す時にアクセスしたプログラム領域のＱコード情報から各曲のＴＯＣ情報４０３を取得する。
【００５６】
取得したＴＯＣ情報のメモリへの格納は次の様にして行う。すなわち、一般に光ディスクの規格として最大曲番号が規定されている。例えば、ＣＤの場合は最大９９曲である。また、ＴＯＣ情報とは、具体的には各曲の曲番号と、プログラム領域開始位置から各曲の開始位置までの時間情報である分、秒、フレーム（フレームとは時間情報であり、７５フレームが１秒に相当する。）で構成される。また、リードアウト領域の開始時間も分、秒、フレームで構成される。これら分と秒とフレームはいずれも１バイト情報である。以上により、メモリ空間の特定番地から１曲分の時間情報である３バイトを、図１０上段の様に９９曲分とリードアウト開始時間を合わせた３００バイト情報を確保する。これをＴＯＣテーブルとする。一方、特定固定本数ジャンプするたびに取得できるＴＯＣ情報を一時的に格納する領域として、図１０下段の様にメモリ空間に曲番号、分、秒、フレームの４バイト分の領域を確保する。システムコントローラは、図１０下段のＴＯＣ情報を一時的に格納する領域にＴＯＣ情報が格納される度に、取得された曲番号を参照して、ＴＯＣテーブルの当該曲番号に該当する番地に取得できたＴＯＣ情報の内の分、秒、フレームを格納する。
【００５７】
特定本数トラックジャンプを繰り返してリードアウト領域に到達したらトラックジャンプを停止する。この時未だ取得できていないＴＯＣ情報４０３がある場合は、光ディスク１０１の外周側から内周側に向けて順番に、ＴＯＣ情報４０３を取得できていない曲の１曲分外周側の曲のＴＯＣ情報４０３で指定される位置から２秒内周側をアクセスすることでＴＯＣ情報４０３を取得できていない曲内にアクセス可能である。ＴＯＣ情報４０３を取得できていない曲内にアクセスできたらＱコード情報を取得して、絶対時間４０１と曲内時間４０２の差を取得することでＴＯＣ情報４０３を作成することが可能である。ＴＯＣ情報４０３を取得したら上記と同様にしてメモリ空間に割り当てられたＴＯＣテーブルにＴＯＣ情報４０３を格納する。以下同様にして、すべてのＴＯＣ情報４０３を取得することが可能である。
【００５８】
再生前に光ディスク１０１のプログラム領域のＱコード情報からＴＯＣ情報４０３を作成している間は表示装置１０８にＴＯＣ作成中の旨表示する。例えば、図１３の符号１１０４の様に、ＴＯＣ作成中の場合は英字ＧＥＴＴＩＮＧを枠線で囲む表示がされる。ユーザーはＴＯＣ作成中の旨の表示を確認することで、光ディスク再生装置が再生するまで時間がかかる場合であっても、装置が故障して再生できない等と誤認識することなく、操作性が向上する。
【００５９】
すべてのＴＯＣ情報４０３が取得できたら曲番号と結びつけた図１１のテーブル情報の形式でシステムコントローラ１０６に接続されたＲＡＭ等のメモリ１１０に格納する。格納後は、従来からの再生方法と同じである。
【００６０】
【発明の効果】
アンファイナライズドディスクにはＴＯＣ情報が書きこまれてないため、従来の光ディスク再生方法では再生のみ可能でＳＫＩＰ  ＵＰ及びＳＫＩＰ  ＤＯＷＮなどの曲頭へのアクセス処理が不可能であったが、本発明の通り、Ｑコード情報に基づいてＴＯＣ情報を作成することにより、アンファイナライズドディスクであってもＳＫＩＰ  ＵＰ及びＳＫＩＰ  ＤＯＷＮなどの曲頭へのアクセスが必要な光ディスク再生方法が可能になる。
【図面の簡単な説明】
【図１】  光ディスクとピックアップ移動の概念図
【図２】  本発明の一実施の形態を示す光ディスク再生装置のブロック図
【図３】  本発明において再生前にリードアウト領域へトラックジャンプ行う場合の概念図
【図４】  本発明において再生前にＴＯＣ領域から外周方向へトラックジャンプを繰り返す場合の概念図
【図５】  本発明において再生前に内周から外周へトラックジャンプを繰り返してもＴＯＣ情報を取得できなかった曲へのトラックジャンプの概念図
【図６】  本発明においてアンファイナライズドディスクの再生前に先頭曲と最終曲の曲番号を取得する概念図
【図７】  本発明において再生前に内周から外周へトラックジャンプを繰り返してもＴＯＣ情報を取得できなかった曲の更に前曲へのトラックジャンプの概念図
【図８】  本発明において再生前に内周から外周へトラックジャンプを繰り返してもＴＯＣ情報を取得できなかった曲の更に前曲へトラックジャンプする場合に繰り返しトラックジャンプが必要な場合の概念図
【図９】  本発明において、再生前に取得したＴＯＣ情報をＳＫＩＰ  ＵＰ及びＳＫＩＰＤＯＷＮ処理で利用する場合の概念図
【図１０】  本発明において再生前に取得したＴＯＣ情報をシステムコントローラー１０６に接続されたＲＡＭ等のメモリ１１０に格納する場合の各曲番号と各曲のＴＯＣ情報の結びつけを表した図
【図１１】  Ｑコード情報の絶対時間と曲内時間を示す概念図
【図１２】  本発明における処理のフロー図
【図１３】  表示装置の表示例の図
【符号の説明】
１０１  光ディスク
１０２  ピックアップ
１０３  増幅器
１０４  サーボ制御回路
１０５  デジタル信号処理回路
１０６  システムコントローラ
１０７  Ｄ／Ａコンバータ
１０８  表示装置
１０９  入力装置
１１０  メモリ
１１１  スピンドルモーター
１１２  スレッドモーター
４０１  Ｑコード情報の絶対時間
４０２  Ｑコード情報の曲内時間
４０３  ＴＯＣ情報
１１０１  表示装置
１１０２  現在再生時間の表示
１１０３  アンファイナライズドディスク及びファイナライズドディスクの表示
１１０４  ＴＯＣ情報取得中及びＴＯＣ情報取得完了の表示
【図１】
0004051920.tif 000002
【図２】
0004051920.tif 000003
【図３】
0004051920.tif 000004
【図４】
0004051920.tif 000005
【図５】
0004051920.tif 000006
【図６】
0004051920.tif 000007
【図７】
0004051920.tif 000008
【図８】
0004051920.tif 000009
【図９】
0004051920.tif 000010
【図１０】
0004051920.tif 000011
【図１１】
0004051920.tif 000012
【図１２】
0004051920.tif 000013
【図１３】
0004051920.tif 000014